(57)【要約】【課題】  表示体に備わっている光源としてのＬＥＤランプから出た光によってその表示体の発光表示面を発光させ得るだけでなく、そのＬＥＤランプをバックライト用の光源としても役立たせる。【解決手段】  透光性樹脂でなる表示体本体２に光源としてのＬＥＤランプ３が組み付けられた表示体１を具備する。表示体１が、反射板４の板面に設置された透光性樹脂でなる背面板５に重ね合わされている。表示体１と背面板５との間にカラーフィルム７を挟み込んでおいてもよい。ＬＥＤランプ３から出た光が、表示体本体２の発光表示面２１を透過する光Ｘ１と、表示体１の周囲に放出される光Ｘ２と、背面板５の周囲に放出される光Ｘ３とに分光されるように構成する。【選択図】        図１
2007232969.tif 000002
【特許請求の範囲】
【請求項１】
発光表示面を有する透光性樹脂でなる表示体本体に、上記発光表示面を発光させるための光源としてのＬＥＤランプが組み付けられた表示体を具備する発光表示装置であって、
上記表示体が、その表示体よりも大きくかつ反射板の板面に設置された透光性樹脂でなる背面板の板面に重ね合わされていることを特徴とする発光表示装置。
【請求項２】
上記表示体と上記背面板との間に、表示体本体の背面の全体を覆う透光性のカラーフィルムが挟み込まれている請求項１に記載した発光表示装置。
【請求項３】
上記ＬＥＤランプから出て上記反射板の板面で反射された光が、上記表示体本体の発光表示面を透過する光と、上記背面板を横切って上記表示体の周囲に放出される光と、上記背面板の外周端面とを透過する光とに分光されるように構成されている請求項１又は請求項２に記載した発光表示装置。
【発明の詳細な説明】
【技術分野】
【０００１】
本発明は、発光表示装置、特に、光源としてのＬＥＤランプから出た光で発光表示面を発光させるように構成されている発光表示装置に関する。
【背景技術】
【０００２】
従来、透光性を有する合成樹脂体に埋め込んだＬＥＤランプから出る光を透過させてその合成樹脂体の表面を発光させる面発光装置の研究が行われていた（たとえば、特許文献１参照）。
【０００３】
また、透光性樹脂を切り出して形成した表示体によって文字列を形作り、その表示体に光源としての砲弾型のＬＥＤランプを組み付けた発光表示装置も知られている。この種の発光表示装置は、ＬＥＤランプから出た光で表示体の発光表示面を発光させるというものである。そして、従来では、バックライト効果を持たせてその装飾性を改善したりする際に、バックライト用の光源を別途設置するということが行われていた。
【０００４】
【特許文献１】特開２００５−１２３３５７号公報
【発明の開示】
【発明が解決しようとする課題】
【０００５】
しかしながら、上記した従来の発光表示装置において、装飾性を改善するための対策として、バックライト用の光源を別途設置するという手段を採用すると、表示体のＬＥＤランプについての配線とは別に、バックライト用光源の配線を行ったりすることが必要になるために、全体として施工が煩雑になるだけでなく、実用上での消費電力も多くなる、などといった問題がある。
【０００６】
本発明は、以上の問題に鑑みてなされたものであり、表示体に備わっている光源としてのＬＥＤランプから出た光によってその表示体の発光表示面を発光させ得るだけでなく、そのＬＥＤランプをバックライト用の光源としても役立たせることのできる発光表示装置を提供することを目的とする。
【課題を解決するための手段】
【０００７】
本発明に係る発光表示装置は、発光表示面を有する透光性樹脂でなる表示体本体に、上記発光表示面を発光させるための光源としてのＬＥＤランプが組み付けられた表示体を具備する発光表示装置であって、上記表示体が、その表示体よりも大きくかつ反射板の板面に設置された透光性樹脂でなる背面板の板面に重ね合わされている。
【０００８】
この構成を備えた発光表示装置は、ＬＥＤランプの光が、表示体本体の発光表示面を発光させるだけでなく、透光性樹脂でなる背面板を通過したりその背面板が設置されている反射板の板面で反射したりして表示体本体の周囲を発光させる。このことから、この発明によると、表示体本体に組み付けられた光源としての上記ＬＥＤランプが、表示体本体の発光表示面を発光させる本来の光源としての作用のほか、バックライト用の光源としても作用して表示体本体の周囲を発光させることに役立つ。
【０００９】
本発明では、上記表示体と上記背面板との間に、表示体本体の背面の全体を覆う透光性のカラーフィルムが挟み込まれているものであってもよく、これによれば、表示体本体の発光表示面や表示体本体の周囲などをそのカラーフィルムの色合いと同じ色調の色に発光させることが可能になって電飾性を高めることに役立つ。
【００１０】
本発明では、上記ＬＥＤランプから出て上記反射板の板面で反射された光が、上記表示体本体の発光表示面を透過する光と、上記背面板を横切って上記表示体の周囲に放出される光と、上記背面板の外周端面とを透過する光とに分光されるように構成されている、という構成を採用することも可能である。これによれば、ＬＥＤランプが、表示体本体の発光表示面を発光させるための光源と、バックライト用の光源と、背面板の周囲で反射板を発光させる光源として活用される。
【発明の効果】
【００１１】
本発明によれば、表示体に備わっている光源としてのＬＥＤランプから出た光によってその表示体の発光表示面を発光させ得るだけでなく、そのＬＥＤランプをバックライト用の光源としても役立たせることができるので、バックライト用の光源を、発光表示面を発光させるための光源に追加して設ける必要がなくなる。そのため、バックライト用光源の配線を、上記ＬＥＤランプの配線と別個に行う必要がなくなって全体として施工が簡略化され、実用上の消費電力も少なくなる。それにもかかわらず、バックライトによる電飾性が高められて斬新な自光型の発光表示装置を安価に提供することが可能になる。
【発明を実施するための最良の形態】
【００１２】
図１は本発明の実施形態に係る発光表示装置の垂直断面図、図２は同装置の要部の正面図、図３は図２のＩＩＩ−ＩＩＩ線断面図、図４は作用説明図、図５は他の実施形態の要部を示した正面図、図６はＬＥＤランプの配置例やバックライト効果が現れる範囲を説明するための表示体の正面図である。
【００１３】
図１に示した表示体１は、特殊な透光性樹脂の一例である光拡散性分を混入したアクリル樹脂などの光拡散性に優れた板状の樹脂材を文字や文字列、各種のマークといった必要な形に切り出した表示体本体２と、この表示体本体２の所要箇所に組み付けられた砲弾型のＬＥＤランプ３とを備えている。表示体本体２の正面視形状は、発光表示すべき文字や文字列、各種のマークに準じた形状に形成されている。具体的には、ＬＥＤランプ３の対向箇所に位置している発光表示面２１の形状が発光表示すべき文字や文字列、各種のマークを象った形状に形成されていて、たとえば図２のように発光表示面２１が縦長形状を有しているものでは、その発光表示面２１での輝度を長手方向で一様に発揮させることを意図して、ＬＥＤランプ３がその発光表示面２１の長手方向に所定間隔を隔てて配備されている。また、図１〜図３に示したように、表示体本体２については、その外側面２２が、発光表示面２１から遠ざかるほど外側に位置するように傾斜した傾斜面として形成されていることに加え、図３のように、その根元部分には所定間隔を隔てて配備されている所要数のＬＥＤランプ３を収容している溝部２３が備わっている。
【００１４】
この表示体１において、表示体本体２の外側面２２を上記のように傾斜させることによってその表示体本体２の根元部分の幅を発光表示面２１のそれよりも幅広に形成してあることは、図２に示したように、発光表示面２１の幅Ｌ１を、その表示体本体２に組み付けられている砲弾型のＬＥＤランプ３の発光部部分の直径Ｄよりも狭くすることに役立つ。そのため、図例の表示体１によると、発光表示面２１を発光させてＬＥＤランプ３の発光部分の直径Ｄよりも狭い直線や曲線を発光表示させることができるという利点がある。
【００１５】
また、この実施形態では、図３のように、表示体本体２の溝部２３の溝底面に遮光性の塗膜２４を具備させてある。このしておくと、ＬＥＤランプ３から出た光が、表示体本体２を透過して発光表示面２１を発光させる光と、遮光性の塗膜２４により遮られ、その塗膜２４により反射して表示体本体２の背面側（根元側）に向けて進行する光とに分光される。また、ＬＥＤランプ３の発光頂部３１表面に光反射性の高い塗膜を被覆することによって、上記塗膜２４と同様に、ＬＥＤランプ３から出た光が、表示体本体２を透過して発光表示面２１を発光させる光と、光反射性の高い塗膜により遮られ、その塗膜により反射して表示体本体２の背面側（根元側）に向けて進行する光とに分光させるような処理を行うこともできる。
さらに、図１に示したように、表示体本体２の外側面２２に遮光性塗膜２５を形成しておくと、ＬＥＤランプ３から出た光がその外側面２２を透過せず、しかも、その外側面２２で反射して発光表示面２１を透過するので、ＬＥＤランプ３の光が発光表示面２１を発光させることに効率よく使われてその発光表示面２１の明るさの低下が抑制されるという利点がある。
【００１６】
この実施形態では、図１又は図４に示したように、表示体１と背面板５との間に、表示体本体２の背面の全体を覆う透光性のカラーフィルム７が挟み込まれている。このカラーフィルム７は、表示体本体２の背面形状と同じ形状及び大きさに形作られていて、その表示体本体１の背面全体を覆っている。そのため、表示体本体２の背面を通過する光が必ずこのカラーフィルム７を通過し、そのようにカラーフィルム７を通過した光がカラーフィルム７の色調と同じ色調に変化することになる。
【００１７】
図１のように、上記表示体１は、ステンレス鋼板などの高い表面反射性を有する金属製の反射板４の板面に重なり状に設置された透光性樹脂でなる背面板５の板面に重ね合わされている。背面板５は、表示体１よりも大きい透光性樹脂でなる板材によって形成されていて、背面板５周囲の外端面５１は、切り出しなどにより粗面に形成されると共に、上記反射板４の反射面４１との間に入隅状の空間Ｓを形成する傾斜面に形成されている。なお、この実施形態では、表示体本体２と背面板５とをビス６によって反射板４に固着してあるけれども、それらの固着手段は他の公知の手段によってもよい。
【００１８】
このように、反射板４に重ね合わせた透光性樹脂でなる背面板５に、さらに表示体１を重ね合わせておくと、図４に説明的に示したように、表示体１のＬＥＤランプ３から出た光が、表示体本体２の発光表示面２１を直接に透過する光Ｘ１と、表示体本体２から背面板５をその厚さ方向に沿って横切って透過した後、反射板４の反射面４１で反射してその背面板５を厚さ方向に沿って横切ることにより表示体１の周囲に放出される光Ｘ２と、背面板５に進入した後、その背面板５内を外周側に向けて進行してその外端面５１を透過する光Ｘ３とに分光されることと併せて、反射板４の反射面４１で反射した光が表示体本体２の発光表示面２１を透過したりする（Ｘ４）。このため、表示体本体２の発光表示面２１が発光し、その発光表示面２１によって象られている文字や文字列、マークなどが発光表示面２１の発光によって表現されると共に、その表示体本体２の外周輪郭線に沿う外側部分では、反射板４の反射面４１で反射した光Ｘ２がバックライト効果を醸し出し、さらに、背面板５の外端面５１から出て反射板４の反射面４１で反射した光Ｘ３も背面板５の周囲でエッジライト効果を醸し出す。なお、光量的には、光Ｘ２はほんの僅かで、ぼやっとした光であるのに対し、粗面に形成され、かつ、上記反射板４の反射面４１との間に入隅状の空間Ｓを形成する外端面５１からは多くの光線が放出され、はっきりした光量を有するエッジライト効果を醸し出している。
【００１９】
また、この実施形態では、表示体１と背面板５との間にカラーフィルム７を挟み込むことによって、表示体本体２の背面を通過する光にカラーフィルム７の色調と同じ色調を付与するように構成してある。このため、カラーフィルム７を透過し、反射板４の反射面４１で反射して表示体本体２の発光表示面２１から出る光Ｘ４や、表示体１の周囲を発光させてバックライトとしての作用を果たす光Ｘ２、さらには、背面板５の周囲を発光させてエッジライトとしての作用を果たす光Ｘ３に、同一系統の色調ではあるけれども、微妙な差異を持つ色調が付与されるようになり、全体として非常に優れた電飾効果が得られるようになる。
【００２０】
以上によって判るように、この実施形態の発光表示装置では、表示体１のＬＥＤランプ３が、表示体本体２の発光表示面２１を発光させるという本来の光源としての作用に加え、表示体１の周囲や背面板５の周囲を発光させてバックライトやエッジライトを行うための光源として作用をも果たしている。そのために、バックライトやエッジライトを行う場合であっても、それらの光源を、上記したＬＥＤランプ３とは別途設置する必要がなく、実用上の電力消費量をそれだけ安く抑えることが可能である。また、当該発光表示装置を施工する場合には、バックライトやエッジライト用の光源についての配線を行う必要がなく、ＬＥＤランプ３の配線だけを行えばよいので、それだけ全体としての施工が簡略化されるという利点がある。
【００２１】
この実施形態の発光表示装置では、図５に示したように、表示体１が重ね合わされている背面板５の表面又は裏面の一部にブラスト加工などの処理を施すことによって半透明部分を形成し、その半透明部分によって文字や文字列、マークなどの発光部８１を具備させておくことも可能である。この発光部８１は、表面が平滑で全反射作用を発揮しやすい背面板５の表面の一部に具備された表面粗度の大きな部分によって形成されているので、背面板５の内部を透過する光の一部は、この発光部８１から漏れ出て上記した文字や文字列、マークなどを表示することになる。しかも、その発光部８１から出る光は周囲に拡散されるために、文字や文字列、マークなどの輪郭線がぼやけた状態になって高い電飾作用を発揮する。
特にこの実施形態では、図３を参照して説明した遮光性の塗膜２４の光反射作用でＬＥＤランプ３の光の一部が背面板５や反射面４１側に導かれるような対策を講じることによって、表示体１の周囲のバックライトに用いられる光量を増大させていることと併せて、表示体本体２の外側面２２に遮光性塗膜２５を形成して発光表示面２１の輪郭線を表示体１の周囲のバックライトやエッジライトとしての光から明確に区別する対策を講じてあるので、発光表示面２１がその周囲のバックライトやエッジライトから浮き立って非常に優れた電飾効果が発揮される。
【００２２】
図６にはデザイン化されたアルファベット文字「Ｄ」を表現させるための表示体本体２についての複数のＬＥＤランプ３の配置例や、バックライト効果が現れる範囲を説明的に例示してある。この事例において、表示体本体２の発光表示面２１は太線部分や細線部分が滑らかに連続した形状に形成されていて、そのうちの細線部分の幅は、砲弾型のＬＥＤランプ３の直径よりも狭くなっているけれども、その表示体本体２の外側面２２が発光表示面２１から遠ざかるほど外側に位置するように傾斜した傾斜面として形成されて表示体本体２の根元部分の幅がＬＥＤランプ３の直径よりも広くなっているので、ＬＥＤランプ３を表示体本体１のどの場所にも支障なく配置することが可能である。
そこで、図例では、発光表示面２１の全体が一様な明るさで発光するように複数個のＬＥＤランプ３の配置箇所を自由に選択し、それらの各箇所にＬＥＤランプ３を配置してある。こうしておくと、太線部分や細線部分を持つ表示体本体２の発光表示面２１が複数個のＬＥＤランプ３から出た光によって発光する。また、同時に、表示体本体２の周囲の一定領域や表示体本体２によって囲まれた領域では、図４に示した光Ｘ２によるバックライト効果が醸し出されることになる。なお、図６において、符号Ｚがバックライト効果によって発光する領域を示している。
【００２３】
以上説明した発光表示装置は、たとえば、図１に例示したように、表示体１と背面板５と反射板４とを一体化してユニットとし、そのユニットを、透明な保護板９１を備えたハウジング９に収容しておくことが可能であり、こうしておくと、ハウジング９をビスなどの取付具９２を用いて建物の壁面などに取り付けたり、あるいは、ハウジング９をガラス面などに貼り付けたりして当該発光表示装置を設置することが可能になる。
【００２４】
以上では、表示体１と背面板５との間にカラーフィルム７を挟み込んだ事例を説明したけれども、カラーフィルム７を省略することも勿論可能である。
【図面の簡単な説明】
【００２５】
【図１】本発明の実施形態に係る発光表示装置の垂直断面図である。
【図２】同装置の要部の正面図である。
【図３】図２のＩＩＩ−ＩＩＩ線断面図である。
【図４】図１の要部を拡大して示した作用説明図である。
【図５】他の実施形態の要部を示した正面図である。
【図６】ＬＥＤランプの配置例やバックライト効果が現れる範囲を説明するための表示体の正面図である。
【符号の説明】
【００２６】
１  表示体
２  表示体本体
３  ＬＥＤランプ
４  反射板
５  背面板
７  カラーフィルム
２１  発光表示面
【図１】
2007232969.tif 000003
【図２】
2007232969.tif 000004
【図３】
2007232969.tif 000005
【図４】
2007232969.tif 000006
【図５】
2007232969.tif 000007
【図６】
2007232969.tif 000008